(57)【要約】【課題】複数の炊飯量判定方法を組み合わせて利用して、精度良く適切な火力制御が可能な炊飯器を提供すること。【解決手段】米量及び／又は米と水の合計重量の重量情報を組み合わせて利用することによって、米量に対する加水量がばらついても沸騰後は一定の火力に制御して加熱することにより火不足もしくは過加熱、焦げ・乾燥を防ぐことができる。【選択図】図３
2005342391.tif 000002
【特許請求の範囲】
【請求項１】
上面が開口した本体と、前記本体内に着脱自在に収納される鍋と、前記本体を開閉自在に覆う蓋と、前記鍋を加熱する加熱手段と、少なくとも前記鍋に入れられた調理物の重量を検知する重量検知手段と、前記重量検知手段で検知した米量の情報を入力する第一の入力手段と、前記米量に対する加水量を記憶する加水量記憶手段と、前記加水量記憶手段に基づき前記米量に対する加水量を選定する加水量選定手段と、前記鍋に入れられた米量と前記加水量選定手段により選定された水量の合計重量を前記重量検知手段で検知して情報を入力する第二の入力手段と、前記第一の入力手段および第二の入力手段に入力された重量情報の記憶部と、前記記憶部に記憶された前記米量及び／又は米と水の合計重量の重量情報に応じて前記加熱手段への通電率及び／又は通電量を制御する制御手段を備えた炊飯器。
【請求項２】
上面が開口した本体と、前記本体内に着脱自在に収納される鍋と、前記本体を開閉自在に覆う蓋と、前記鍋を加熱する加熱手段と、少なくとも前記鍋に入れられた調理物の重量を検知する重量検知手段と、前記重量検知手段で検知した米量の情報を入力する第一の入力手段と、前記米量に対し複数段階の水重量の加水量範囲を記憶する加水量記憶手段と、前記重量検知手段で検知した米量と水量の重量比を判定する重量比判定手段と、加水量記憶手段に基づき前記米量に対する加水量を選定する加水量選定手段と、前記鍋に入れられた米量と前記加水量選定手段により選定された水量の合計重量を前記重量検知手段で検知して情報を入力する第二の入力手段と、前記第一の入力手段および第二の入力手段に入力された重量情報の記憶部と、判定された米量と水量の重量比に応じた前記記憶部に記憶された前記米量及び／又は米と水の合計重量の重量情報で前記加熱手段への通電率及び／又は通電量を制御する制御手段を備えた炊飯器。
【請求項３】
上面が開口した本体と、前記本体内に着脱自在に収納される鍋と、前記本体を開閉自在に覆う蓋と、前記鍋を加熱する加熱手段と、少なくとも前記鍋に入れられた調理物の重量を検知する重量検知手段と、前記重量検知手段で検知した米量の情報を入力する第一の入力手段と、前記米量に対し複数段階の水重量の加水量範囲を記憶する加水量記憶手段と、前記重量検知手段で検知した米量と水量の重量比を判定する重量比判定手段と、加水量記憶手段に基づき前記米量に対する加水量を選定する加水量選定手段と、前記鍋に入れられた米量と前記加水量選定手段により選定された水量の合計重量を前記重量検知手段で検知して情報を入力する第二の入力手段と、前記第一の入力手段および第二の入力手段に入力された重量情報の記憶部と、判定された米量と水量の重量比に応じて炊飯できるコースの選択肢及び前記加熱手段への通電率及び／又は通電量を制御する制御手段を備えた炊飯器。
【請求項４】
前記第二の入力手段は、前記蓋の開閉状態を検知する蓋開閉検知手段による重量検知タイミングとした請求項１〜３のいずれか１項に記載の炊飯器。
【発明の詳細な説明】
【技術分野】
【０００１】
本発明は、重量検知手段を搭載した炊飯器に関するものである。
【背景技術】
【０００２】
近年、ご飯の食味を向上させるために、鍋の中の米及び水の量（炊飯量）を判定し、炊飯量に応じて加熱量を制御する炊飯器が普及してきた。特許文献１に、従来例の炊飯器が開示されている。従来例１の炊飯器は、炊飯量が多い（例えば、４合以上）場合は強めの火力（例えば、１３００Ｗ）で加熱を行い、炊飯量が少ない場合は弱めの火力（例えば、６００Ｗ）で加熱する。炊飯量の判定方法として、所定の熱量で加熱した時の鍋の温度上昇速度から炊飯量を判定する方法とユーザが炊飯前に炊飯器の選択ボタンで炊飯量を指示する方法とが挙げられている。
【０００３】
しかし、加熱時の鍋の温度上昇速度から炊飯量を判定する場合、温度が所定値に達して炊飯量が判定されるまでは、火力制御が不可能である。従って、炊飯量が少ない場合に、吸水が十分に行われる前に水が沸騰し、米に芯が残ってご飯が硬くなった。
【０００４】
特許文献２に、他の従来例の炊飯器が開示されている。本従来例の炊飯器は、炊飯開始と同時に重量検知手段によって内鍋の重量（内鍋、水及び米の総重量）を検知して炊飯量を判定し、炊飯時のヒータの電力量（火力）を制御する。
【０００５】
しかし、水及び米の総重量から炊飯量を判定する場合、米量に対する水量の加水比は不明である。従って、米量に対する加水量が最適加水量より少ない場合は、火力が不足して火通りが悪くなり、米量に対するか水量が最適水量より多い場合は、過加熱となってごはんが崩れて味が抜け、おいしいご飯が炊けないという課題があった。
【特許文献１】特開２００２−１０９１０号公報
【特許文献２】特開平１−２７７２４号公報
【発明の開示】
【発明が解決しようとする課題】
【０００６】
本発明は上記従来の課題を解決するもので、コースの誤選択を少なくし複数の炊飯量判定方法を組み合わせて利用して、精度良く適切な火力制御が可能な炊飯器を提供することを目的とする。
【０００７】
ユーザの炊飯開始前の所作が従来から変化が少なく毎回安定した炊きあがりのご飯を得られる炊飯器を提供することを目的とする。
【課題を解決するための手段】
【０００８】
上記課題を解決するため、本発明は以下の構成を有する。請求項１に記載の発明は、上面が開口した本体と、前記本体内に着脱自在に収納される鍋と、前記本体を開閉自在に覆う蓋と、前記鍋を加熱する加熱手段と、少なくとも前記鍋に入れられた調理物の重量を検知する重量検知手段と、前記重量検知手段で検知した米量の情報を入力する第一の入力手段と、前記米量に対する加水量を記憶する加水量記憶手段と、前記加水量記憶手段に基づき前記米量に対する加水量を選定する加水量選定手段と、前記鍋に入れられた米量と前記加水量選定手段により選定された水量の合計重量を前記重量検知手段で検知して情報を入力する第二の入力手段と、前記第一の入力手段および第二の入力手段に入力された重量情報の記憶部と、前記記憶部に記憶された前記米量及び／又は米と水の合計重量の重量情報に応じて前記加熱手段への通電率及び／又は通電量を制御する制御手段を備えた炊飯器である。
【０００９】
炊飯量の判定を、従来の所定の熱量で加熱した時の鍋の温度上昇速度から炊飯量を判定する方法に加え、前記米量及び／又は米と水の合計重量の重量情報を組み合わせて利用することによって、米量に対する加水量がばらついても沸騰後は一定の火力に制御して加熱することにより火不足もしくは過加熱、焦げ・乾燥を防ぐことができる。更に、炊飯量に応じた吸水が可能であり、おいしいご飯を炊くことができる。
【００１０】
請求項２に記載の発明は、上面が開口した本体と、前記本体内に着脱自在に収納される鍋と、前記本体を開閉自在に覆う蓋と、前記鍋を加熱する加熱手段と、少なくとも前記鍋に入れられた調理物の重量を検知する重量検知手段と、前記重量検知手段で検知した米量の情報を入力する第一の入力手段と、前記米量に対し複数段階の水重量の加水量範囲を記憶する加水量記憶手段と、前記重量手段で検知した米量と水量の重量比を判定する重量比判定手段と、加水量記憶手段に基づき前記米量に対する加水量を選定する加水量選定手段と、前記鍋に入れられた米量と前記加水量選定手段により選定された水量の合計重量を前記重量検知手段で検知して情報を入力する第二の入力手段と、前記第一の入力手段および第二の入力手段に入力された重量情報の記憶部と、判定された米量と水量の重量比に応じた前記記憶部に記憶された前記米量及び／又は米と水の合計重量の重量情報で前記加熱手段への通電率及び／又は通電量を制御する制御手段を備えた炊飯器である。
【００１１】
米量と水量の重量比に応じた炊飯量の判定方法を用いることによって、精度の高い適切な火力制御ができ、安定した炊きあがりのご飯を炊くことができる。
【００１２】
請求項３に記載の発明は、上面が開口した本体と、前記本体内に着脱自在に収納される鍋と、前記本体を開閉自在に覆う蓋と、前記鍋を加熱する加熱手段と、少なくとも前記鍋に入れられた調理物の重量を検知する重量検知手段と、前記重量検知手段で検知した米量の情報を入力する第一の入力手段と、前記米量に対し複数段階の水重量の加水量範囲を記憶する加水量記憶手段と、前記重量手段で検知した米量と水量の重量比を判定する重量比判定手段と、加水量記憶手段に基づき前記米量に対する加水量を選定する加水量選定手段と、前記鍋に入れられた米量と前記加水量選定手段により選定された水量の合計重量を前記重量検知手段で検知して情報を入力する第二の入力手段と、前記第一の入力手段および第二の入力手段に入力された重量情報の記憶部と、判定された米量と水量の重量比に応じて炊飯できるコースの選択肢を制御する制御手段を備えた炊飯器である。
【００１３】
これによって、ユーザの炊飯コースの誤選択を少なくし、また、適切な火力制御もできることとなる。
【００１４】
請求項４に記載の発明は、前記第二の入力手段は、前記蓋の開閉状態を検知する蓋開閉検知手段による重量検知タイミングとした請求項１または請求項２または請求項３に記載の炊飯器である。
【００１５】
蓋の開閉動作を重量検知タイミングとしてお米とお水の合計重量の重量情報を得ることで、ユーザは炊飯開始前の所作を多く変えることなく毎回安定した炊きあがりのご飯を得られることとなる。
【発明の効果】
【００１６】
本発明の炊飯器は、コースの誤選択を少なくし複数の炊飯量判定方法を組み合わせて利用して、精度良く適切な火力制御が可能なため、炊飯量によらず常においしいご飯を提供できるという効果を奏する。
【００１７】
本発明の炊飯器は、ユーザの炊飯開始前の所作が従来から変化が少なく毎回安定した炊きあがりのご飯を得られる炊飯器を提供できるという効果を奏する。
【発明を実施するための最良の形態】
【００１８】
以下本発明の実施をするための最良の形態を具体的に示した実施の形態について、図面とともに記載する。
【００１９】
図１〜図８を用いて、本発明の実施の形態の炊飯器を説明する。
【００２０】
始めに、図１及び図２を用いて実施の形態の炊飯器の構成を説明する。図１は、本発明の実施の形態の炊飯器の一部切欠した側面図である。破断部分に断面図を示す。図面を簡潔にするために、電気的接続のためのリード線等は省略してある。図１において、１０は炊飯器のボディ（本体）である。ボディ１０には、その上面を覆う蓋２０が開閉自在に設置されている。ボディ１０の収納部３０は、上方の上枠３２と下方のコイルベース３１とから構成される。収納部３０は、磁性体製の鍋１２を着脱自在に収納する。コイルベース３１の鍋１２底部に対向する部分に、鍋１２を誘導加熱する加熱手段１３が配設される。１４は、回路基板である。回路基板１４にはマイクロコンピュータ、入力回路、出力回路、書き換え可能な不揮発性メモリ（図示しない。例えばフラッシュメモリ）が搭載されている。実施の形態の炊飯器は後述する方法で、鍋１２を誘導加熱し、鍋１２内の調理物１９を加熱調理する。調理物１９は、炊飯前の米と水又は炊き上がったご飯等である。実施の形態の炊飯器は図示しない電源コードを有し、電源コードから商用電源が供給された時に「電源ＯＮ」の状態になる。
【００２１】
実施の形態の炊飯器に設けられる、各検知手段について説明する。
【００２２】
１５は、コイルベース３１の底部に配設され、鍋１２の温度を検知する温度検知手段である。温度検知手段１５は、鍋１２が収納部３０に収納されると鍋１２の底の中央部に当接し、鍋１２の温度を検知する。
【００２３】
１６は、鍋１２が収納部３０に収納されているか否かを検知する、鍋検知手段である。鍋検知手段１６は、ボディ１０に剛体接続されたマイクロスイッチで構成される。鍋１２が収納部３０に収納されると、温度検知手段１５の底に設けた突起部がマイクロスイッチを押下し、鍋検知手段１６はＯＮ信号を出力する。
【００２４】
２１は、蓋２０の開閉を検知する蓋開閉検知手段である。蓋開閉検知手段２１はボディ１０に設けられ、マイクロスイッチから構成される。蓋２０が閉じると蓋２０のヒンジ部がマイクロスイッチを押下し、蓋開閉検知手段２１はＯＮ信号を出力する。
【００２５】
鍋検知手段１６及び蓋開閉検知手段２１は、炊飯器の電源が入っている状態では常に動作しており、ＯＮ信号又はＯＦＦ信号を出力している。
【００２６】
４０は、鍋１２の重量を検知する重量検知手段である。重量検知手段４０は、支持部１７及びロードセル１８から構成される。ロードセル１８は、ロバーバル型のロードセル（荷重変換器）であり、ボディ１０に剛体接続される。ロードセル１８に抵抗線ひずみゲージ（図示しない）が取り付けられている。ロードセル１８が歪んだ時のひずみゲージの抵抗変化を、ブリッジ回路で電気信号として取り出す。支持部１７は、薄板に３つの突起部を設けた形状を有する。薄板はロードセル１８の一端にネジ止めされる。支持部１７の突起部は、コイルベース３１の底部に設けた３つの孔をそれぞれ貫通する。鍋１２が収納部３０に収納されていない場合、ロードセル１８は支持部１７の重量を検知する。鍋１２が収納部３０に収納されると、鍋１２の底部が支持部１７の突起部先端に当接し、ロードセル１８が歪む。鍋１２が収納部３０に収納されると、ロードセル１８は、支持部１７、鍋１２及び鍋１２の中の調理物１９の総重量を検知する。ロードセル１８に取り付けられている抵抗線ひずみゲージは、ロードセルＯＮ／ＯＦＦ制御部３０２（後述）から動作指令を受信した時だけ通電される（動作する）。抵抗線ひずみゲージの出力は、通電後０．５秒程度で安定する。重量検知手段４０は、鍋の底面を３点支持する支持部１７を通じて、正確に鍋及び被加熱物の重量を測定する。
【００２７】
温度検知手段１５、鍋検知手段１６、蓋開閉検知手段２１及び重量検知手段４０からの電気信号は、それぞれ回路基板１４に入力される。
【００２８】
図２は、本発明の実施の形態の炊飯器の操作部を示す図である。実施の形態の炊飯器の本体１０の前面には、操作部５０が設けられている（図１では図示しない）。操作部５０は、表示部５８及びキー入力手段５９を有する。キー入力手段５９として、スイッチ５１〜スイッチ５７が配置されている。５１は炊飯スイッチ、５２は保温スイッチ、５３は取消しスイッチ、５４はタイマー予約を行うための予約スイッチ、５５及び５６は予約時刻（時と分）を合わせるための時スイッチ及び分スイッチである。５７は重量検知手段４０（ロードセル１８）を、手動で動作させるための計測スイッチである。ユーザは、各スイッチを操作し指令を入力することができる。表示部５８には、炊飯の状況等が表示される。
【００２９】
次に、図３を用いて実施の形態の炊飯器の制御手段の構成を説明する。図３は、本発明の実施の形態の炊飯器の制御系の構成を示すブロック図である。実施の形態の炊飯器の制御系は、操作部５０、重量検知手段４０、鍋検知手段１６、蓋開閉検知手段２１、温度検知手段１５、制御手段３００、加熱コイル駆動手段３１１、加熱コイル１３、記憶部３２０、鍋１２、蓋２０を有する。記憶部３２０は、書き換え可能な不揮発性メモリ（回路基板１４に搭載される）で構成され、調理物１９の重量を算出するための重量算出用パラメータ３２１を記憶する。制御手段３００は、回路基板１４に搭載されたマイクロコンピュータを有する。加熱コイル駆動手段３１１は、回路基板１４に搭載される。
【００３０】
制御手段３００（マイクロコンピュータ）はソフトウエアにより、ユーザが操作部５０を介して入力する操作指令、各検知手段（重量検知手段４０、鍋検知手段１６、蓋開閉検知手段２１及び温度検知手段１５）から入力される各信号、記憶部３２０から読み込んだ重量算出用パラメータ３２１に基づき、加熱コイル駆動手段３１１の制御、表示部５８への表示、ロードセル１８のＯＮ／ＯＦＦ制御、記憶部３２０の書き換えを行う。加熱コイル駆動手段３１１は、制御手段３００の制御に応じて、加熱コイル１３を駆動する。加熱コイル１３の加熱量は、加熱コイル１３の通電率及び／又は通電量によって制御される。
【００３１】
制御手段３００は、重量算出部３０１、ロードセルＯＮ／ＯＦＦ制御部３０２、ゼロ点補正部３０３、加熱制御部３０４、加熱プログラム記憶部３０５を有する。重量算出部３０１は、ロードセル１８の出力信号及び記憶部３２０から読み込んだ重量算出用パラメータ３２１に基づいて、鍋１２の中の調理物１９の重量（炊飯量又は保温量）を算出する。ロードセルＯＮ／ＯＦＦ制御部３０２は、計測スイッチ５７が操作された時及び所定の条件（後述）が整った時にロードセル１８への通電をＯＮ／ＯＦＦする。ゼロ点補正部３０３は、所定の条件（後述）でロードセル１８の出力信号に基づき、重量算出用パラメータ３２１を書き換える。加熱プログラム記憶部３０５は、調理物１９の重量に応じた加熱プログラム（炊飯工程及び保温工程）を記憶する。加熱制御部３０４は、重量算出部３０１が算出した調理物１９の重量、温度検知手段１５が検知した鍋１２の温度に基づき、調理物１９の重量に応じた加熱プログラムを読み出し、加熱コイル駆動手段３１１を制御する。
【００３２】
本発明の実施の形態の炊飯器の炊飯時の一般的な動作を説明する。
【００３３】
一般的な炊飯器は、図１に示すように、炊飯器本体１０に、米および水を収納する鍋１２の底部や側部に加熱手段１３（シーズヒータや誘導加熱コイルまたはガス等で構成）が、鍋１２の底部または側部に、鍋の温度を検知する温度検知手段１５が設けられ、制御手段（図示せず）が、計時手段（図示せず）の計時時間および温度検知手段１５の検知温度を入力し、加熱手段１３の加熱量を制御して、加熱手段１３により鍋１２を加熱し鍋１２内の米と水を炊飯するものである。
【００３４】
一般的な炊飯工程は、図４（ａ）に示すように、主として、浸水工程Ａ、炊き上げ工程Ｂ、沸騰維持工程Ｃ、むらし工程Ｄから成る。
【００３５】
浸水工程Ａでは、計時手段の計時時間が第一の所定時間ｔ１（通常２０分前後）になるまで、温度検知手段１５の検知温度Ｔａが第一の所定温度Ｔ１（通常５５℃前後）になるように制御手段が加熱手段１３を制御し、加熱手段１３で鍋１２を加熱するものである。浸水工程は、糊化温度よりも低温の水に米を浸し、予め米に吸水させておくことで、以降の工程において、米の中心部まで十分に糊化させるための工程である。また、本工程は、米に含まれるアミラーゼにより澱粉を分解しグルコースを生成させる工程でもあり、ここで、飯の甘味を生み出すのである。
【００３６】
次に、浸水工程Ａ終了後、炊き上げ工程に移行する。炊き上げ工程Ｂでは、図４（ａ）に示すように、温度検知手段１５の検知温度Ｔａが第二の所定温度Ｔ２（水の沸点（通常１００℃近傍））になるまで、加熱手段１３が鍋１２を加熱するものである。
【００３７】
なお、本工程では、温度検知手段１５の検知温度により加熱手段１３を制御したが、別途、鍋の開口部を覆う蓋の温度を検知する蓋温度検知手段を設け、蓋温度検知手段の検知温度が所定温度に達するまで、加熱手段１３が鍋１２を加熱することもできる。
【００３８】
引き続き、炊き上げ工程Ｂ終了後、沸騰維持工程Ｃに移行する。沸騰維持工程Ｃでは、鍋１２に水が有る間は、温度検知手段１５の検知温度Ｔａが、図４（ａ）に示すように、第二の所定温度Ｔ２（水の沸点（通常１００℃近傍））で沸騰状態を維持するように制御手段が加熱手段１３を制御し、加熱手段１３が鍋１２を加熱する。そして、沸騰維持工程Ｃが経過していくと、鍋１２内の水が蒸発して、鍋１２内に水がなくなると、鍋１２の温度が上昇する。温度検知手段１５の検知温度Ｔａが、第三の所定温度Ｔ３（水の沸点以上）に到達すると、鍋１２内に水がなくなったと判断し工程の終了とする。この工程は、米澱粉を糊化させる工程であり、炊飯後の飯の糊化度は１００％近くに達するが、この工程終了時には糊化度は５０〜６０％程度となる。
【００３９】
次に、むらし工程Ｄに進む。むらし工程Ｄでは、図４（ａ）に示すように、計時手段の計時時間が第二の所定時間ｔ２（通常１５分前後）になるまで、温度検知手段１５の検知温度Ｔａが第二の所定温度Ｔ２（通常１００℃近傍）で維持するように制御手段が加熱手段１３を制御し、加熱手段１３が鍋１２を加熱する。むらし工程は沸騰維持工程に引き続き、米澱粉の糊化させる工程であり、むらし工程の開始時には糊化度は５０〜６０％程度であったものが、むらし工程終了時、すなわち、炊飯終了時には、糊化度は１００％近くに達するのである。
【００４０】
このような炊飯工程を実行すると、温度検知手段１５の検知温度Ｔａが図４（ａ）に示すこととなり、鍋１２内の温度Ｔｂ、すなわち、米の温度は図４（ｂ）に示すように温度推移する。
【００４１】
以上のように構成された炊飯器について、以下本実施の形態におけるその動作、作用を説明する。
【００４２】
まず、キー入力手段５９（第一の入力手段）により鍋１２に入れられた米量（調理物１９）の情報を入力する。次に記憶部の加水量記憶手段に基づき加水量を選定する加水量選定手段によって前記米量に対する加水量が選定される。前記鍋１２に入れられた米量と前記加水量選定手段により選定された水量の合計重量は、蓋２０の開閉状態を検知する蓋開閉検知手段２１（第二の入力手段）による重量検知タイミングにおいて重量検知手段４０で検知する。米量及び米と水の合計重量の重量情報は記憶部３２０に記憶される。
【００４３】
炊飯量の判定は、炊き上げ工程Ｂにおいて所定の熱量で加熱した時の鍋の温度上昇速度から炊飯量を判定する従来の方法に加え、前記米量の重量情報に基づき、沸騰維持工程Ｃ及び／又はむらし工程Ｄにおける加熱手段１３への通電率及び／又は通電量、通電時間、第三の所定温度Ｔ３の設定温度を複数段階にレベル分けするものとする。更に組み合わせて前記米と水の合計重量の重量情報に基づき、炊飯量が少ない場合（通常凡そ８５０ｇ以下）とそうではない場合とで、浸水工程Ａ及び／又は炊き上げ工程Ｂ及び／又は沸騰維持工程Ｃ及び／又はむらし工程Ｄにおける加熱手段１３への通電率及び／又は通電量、通電時間、第一の所定温度Ｔ１において異なる設定を実行するものとする。
【００４４】
そして、前記の米量及び／又は米と水の合計重量の重量情報に基づいた炊飯量判定は、重量検知手段４０で検知した米量と水量の重量比を判定する重量比判定手段によって判定された米量と水量の重量比に応じもするものとする。
【００４５】
また、前記重量比判定手段によって判定された米量と水量の重量比に応じて、炊飯できるコースの選択肢を制御する（水量が米量の凡そ２．５倍を超える場合、通常少なくとも「白米」「すし」は炊飯できない）ものとする。
【００４６】
以上のように、本実施の形態においては所定の熱量で加熱した時の鍋の温度上昇速度から炊飯量を判定する従来の方法に加え、米量及び／又は米と水の合計重量の重量情報を炊飯量判定方法とすることにより、複数の炊飯量判定方法を組み合わせて利用して精度良く適切な火力制御が可能なため、炊飯量によらず常においしいご飯を提供できる。
【００４７】
また本実施の形態では、米と水の合計重量は、蓋２０の開閉状態を検知する蓋開閉検知手段２１による重量検知タイミングにおいて重量を検知するようにしたことにより、ユーザの炊飯開始前の所作が従来から変化が少なく毎回安定した炊きあがりのご飯を得られる炊飯器を提供できる。
【産業上の利用可能性】
【００４８】
本発明の炊飯器は、家庭用又は業務用の炊飯器として有用である。
【図面の簡単な説明】
【００４９】
【図１】本発明の実施の形態の炊飯器の一部切欠した側面図
【図２】本発明の実施の形態の炊飯器の操作部を示す図
【図３】本発明の実施の形態の炊飯器の制御系の構成を示すブロック図
【図４】本発明の実施の形態の炊飯器の炊飯シーケンス図
【符号の説明】
【００５０】
１０  ボディ（本体）
１２  鍋
１３  加熱手段
２０  蓋
２１  蓋開閉検知手段（第二の入力手段）
４０  重量検知手段
５９  キー入力手段（第一の入力手段）
３００  制御手段
３２０  記憶部
【図１】
2005342391.tif 000003
【図２】
2005342391.tif 000004
【図３】
2005342391.tif 000005
【図４】
2005342391.tif 000006